(57)【要約】【課題】常に回線品質の良好なサブキャリアに適切に再送データを割り当てることができ、かつスループットの低下を抑制可能な再送制御方法を得ること。【解決手段】本発明の再送制御方法では、移動局が、サブキャリア毎またはサブキャリアグループ毎の受信回線品質を測定し当該回線品質を返信し、さらに、受信データに誤りがある場合に再送を要求し、再送を要求された基地局が、前記回線品質に関する所定の情報に基づいて使用しないと判断したサブキャリアまたはサブキャリアグループ以外のサブキャリアを用いて再送データを送信し、移動局が、前記使用しないと判断されたサブキャリアまたはサブキャリアグループ以外のサブキャリアに割り当てられた再送データを復調する。【選択図】　　　図１
2004104574.tif 000002
【特許請求の範囲】
【請求項１】
受信側装置が、サブキャリア毎またはサブキャリアグループ毎の受信回線品質を測定し、当該回線品質を返信し、さらに、受信データに誤りがある場合に再送を要求する再送要求ステップと、
再送を要求された送信側装置が、前記回線品質に関する所定の情報に基づいて使用しないと判断したサブキャリアまたはサブキャリアグループ以外のサブキャリアを用いて、再送データを送信する送信ステップと、
受信側装置が、前記使用しないと判断されたサブキャリアまたはサブキャリアグループ以外のサブキャリアに割り当てられた再送データを復調する復調ステップと、
を含むことを特徴とする再送制御方法。
【請求項２】
前記送信ステップにあっては、
前記回線品質に関する所定の情報であるサブキャリア毎またはサブキャリアグループ毎の回線品質の変動に基づいて、回線品質が劣悪かどうかを判断し、劣悪であると判断したサブキャリアまたはサブキャリアグループを再送時に使用しないサブキャリアとして決定することを特徴とする請求項１に記載の再送制御方法。
【請求項３】
前記送信ステップにあっては、
前記回線品質に関する所定の情報であるサブキャリア毎またはサブキャリアグループ毎の回線品質の変動に基づいて、回線品質が劣悪かどうかを判断し、さらに、再送要求回数に基づいて、前記劣悪であると判断したサブキャリアまたはサブキャリアグループの中から再送時に使用しないサブキャリアを決定することを特徴とする請求項１に記載の再送制御方法。
【請求項４】
前記送信ステップにあっては、
前記回線品質に関する所定の情報であるサブキャリア毎またはサブキャリアグループ毎の回線品質の変動に基づいて、回線品質が劣悪かどうかを判断し、劣悪であると判断したサブキャリアまたはサブキャリアグループを再送時に使用しないサブキャリアとして決定し、さらに、前回の送信とは異なるパケット合成タイプを選択して送信することを特徴とする請求項１に記載の再送制御方法。
【請求項５】
前記送信ステップにあっては、
前記回線品質に関する所定の情報であるサブキャリア毎またはサブキャリアグループ毎の回線品質の変動に基づいて、回線品質が劣悪かどうかを判断し、劣悪であると判断したサブキャリアまたはサブキャリアグループを再送時に使用しないサブキャリアとして決定し、さらに、再送データを分割して送信することを特徴とする請求項１に記載の再送制御方法。
【請求項６】
前記送信ステップにあっては、
前記回線品質に関する所定の情報であるサブキャリア毎またはサブキャリアグループ毎の回線品質の変動に基づいて、回線品質が劣悪かどうかを判断し、劣悪であると判断したサブキャリアまたはサブキャリアグループを再送時に使用しないサブキャリアとして決定し、さらに、前回の送信とは異なる変調方式を選択して送信することを特徴とする請求項１に記載の再送制御方法。
【請求項７】
前記送信ステップにあっては、
前記回線品質に関する所定の情報であるサブキャリア毎またはサブキャリアグループ毎の回線品質の変動に基づいて、回線品質が劣悪かどうかを判断し、劣悪であると判断したサブキャリアまたはサブキャリアグループを再送時に使用しないサブキャリアとして決定し、さらに、前回の送信とは異なる拡散率を選択して送信することを特徴とする請求項１に記載の再送制御方法。
【請求項８】
前記送信ステップにあっては、
前記回線品質に関する所定の情報であるサブキャリア毎またはサブキャリアグループ毎の回線品質の変動に基づいて、回線品質が劣悪かどうかを判断し、劣悪であると判断したサブキャリアまたはサブキャリアグループを再送時に使用しないサブキャリアとして決定し、さらに、前回の送信とは異なる符号多重数を選択して送信することを特徴とする請求項１に記載の再送制御方法。
【請求項９】
前記送信ステップにあっては、
前記回線品質に関する所定の情報であるサブキャリア毎またはサブキャリアグループ毎の回線品質の変動に基づいて、回線品質が劣悪かどうかを判断し、劣悪であると判断したサブキャリアまたはサブキャリアグループを再送時に使用しないサブキャリアとして決定し、さらに、再送時に使用しないサブキャリアに割り当てる電力配分を減らし、再送時に使用するサブキャリアに割り当てる電力配分を増やして送信することを特徴とする請求項１に記載の再送制御方法。
【請求項１０】
前記送信ステップにあっては、
さらに、再送要求回数に基づいて、前記劣悪であると判断したサブキャリアまたはサブキャリアグループの中から再送時に使用しないサブキャリアを決定することを特徴とする請求項４〜９のいずれか一つに記載の再送制御方法。
【請求項１１】
誤り制御方式として自動再送制御方式を実現可能なデータ送信側の通信装置において、
受信側の通信装置から受け取ったサブキャリア毎またはサブキャリアグループ毎の回線品質に基づいて過去から現在までの所定回数分の回線品質の変動を測定し、当該測定結果に基づいて回線品質が劣悪かどうかを判断し、劣悪であると判断したサブキャリアまたはサブキャリアグループを再送時に使用しないサブキャリアとして決定する回線品質変動測定手段と、
前記決定した使用しないサブキャリア以外のサブキャリアに再送データを割り当てて送信する送信手段と、
を備えることを特徴とする通信装置。
【請求項１２】
誤り制御方式として自動再送制御方式を実現可能なデータ送信側の通信装置において、
受信側の通信装置から受け取ったサブキャリア毎またはサブキャリアグループ毎の回線品質に基づいて過去から現在までの所定回数分の回線品質の変動を測定し、当該測定結果に基づいて回線品質が劣悪かどうかを判断し、さらに、受信側の通信装置から受け取った再送要求の回数に基づいて、前記劣悪であると判断したサブキャリアまたはサブキャリアグループの中から再送時に使用しないサブキャリアを決定する回線品質変動測定手段と、
前記決定した使用しないサブキャリア以外のサブキャリアに再送データを割り当てて送信する送信手段と、
を備えることを特徴とする通信装置。
【請求項１３】
さらに、前回の送信とは異なるパケット合成タイプを選択するパケット合成タイプ選択手段、
を備え、
前記送信手段は、前記決定した使用しないサブキャリア以外のサブキャリアに再送データを割り当てるとともに、前記選択されたパケット合成タイプで送信処理を行うことを特徴とする請求項１１または１２に記載の通信装置。
【請求項１４】
さらに、再送データの分割サイズを決定する分割サイズ決定手段、
を備え、
前記送信手段は、前記決定した使用しないサブキャリア以外のサブキャリアに分割した再送データを割り当てて送信することを特徴とする請求項１１または１２に記載の通信装置。
【請求項１５】
さらに、前回の送信とは異なる変調方式を選択する変調方式選択手段、
を備え、
前記送信手段は、前記決定した使用しないサブキャリア以外のサブキャリアに再送データを割り当てるとともに、前記選択された変調方式で変調処理を行うことを特徴とする請求項１１または１２に記載の通信装置。
【請求項１６】
さらに、前回の送信とは異なる拡散率を選択する拡散率選択手段、
を備え、
前記送信手段は、前記決定した使用しないサブキャリア以外のサブキャリアに再送データを割り当てるとともに、前記選択された拡散率で拡散処理を行うことを特徴とする請求項１１または１２に記載の通信装置。
【請求項１７】
さらに、前回の送信とは異なる符号多重数を選択する符号多重数選択手段、
を備え、
前記送信手段は、前記決定した使用しないサブキャリア以外のサブキャリアに再送データを割り当てるとともに、前記選択された符号多重数で符号多重処理を行うことを特徴とする請求項１１または１２に記載の通信装置。
【請求項１８】
前記送信手段は、
再送時に使用しないサブキャリアに割り当てる電力配分を減らし、再送時に使用するサブキャリアに割り当てる電力配分を増やすように、電力配分を調整する送信電力制御手段、
を備えることを特徴とする請求項１１または１２に記載の通信装置。
【発明の詳細な説明】
【０００１】
【発明の属する技術分野】
本発明は、マルチキャリア変復調方式を採用する通信システムで実施可能な再送制御方法に関するものであり、特に、周波数選択性フェージングの影響を受ける可能性のある通信環境に対応可能な再送制御方法および通信装置に関するものである。
【０００２】
【従来の技術】
以下、従来の再送制御方法について説明する。たとえば、自動再送制御方式（ＡＲＱ：Ａｕｔｏｍａｔｉｃ　Ｒｅｐｅａｔ　ｒｅＱｕｅｓｔ）は、移動体通信のように符号誤りが発生しやすい環境下における通信では重要な誤り制御方法である。ＡＲＱは、特定の時刻の伝搬環境と、その特定時間から所定の時間が経過した後の伝搬環境と、が異なることを利用した時間ダイバーシチ効果を期待する技術である。
【０００３】
また、ＡＲＱの一例としては、パケット合成型ＨＡＲＱ（Ｈｙｂｒｉｄ　ＡＲＱ）が知られている。パケット合成型ＨＡＲＱでは、誤りを検出した場合に、その受信データを破棄することなく、再送データと前回までの受信データの軟判定情報をシンボル毎に合成することによって、ＳＩＲを向上させて受信信号の符号誤り率を低減させる。
【０００４】
しかしながら、上記ＡＲＱでは、伝送効率を上げるために再送間隔を短くした場合、再送時においても初送時と同一の周波数選択性フェージングの影響を受けて、再送時に受信したデータの信号電力対雑音電力密度が、初送時のものとほとんど変わらないことがある。このような問題を改善するため、マルチキャリアを使った移動体通信では、周波数選択性フェージングを回避するために、受信品質が不良なサブキャリアを除いたサブキャリアにデータを割り当てて伝送するという方式がとられている。
【０００５】
ここで、再送制御方式を導入した従来のマルチキャリア移動体通信について説明する（たとえば、特許文献１参照。）。
【０００６】
図２１は、従来のマルチキャリア移動体通信システム１００の構成を示す図である。マルチキャリア移動体通信システム１００は、供給される情報信号を直交周波数分割多重方式（ＯＦＤＭ：Ｏｒｔｈｏｇｏｎａｌ　Ｆｒｅｑｕｅｎｃｙ　Ｄｉｖｉｓｉｏｎ　Ｍｕｌｔｉｐｌｅｘ）により変調して送信するマルチキャリア送信装置１１０と、その信号を受信するマルチキャリア受信装置１２０で構成される。たとえば、マルチキャリア送信装置１１０では、入力された情報信号に対して誤り訂正符号化を行った後、ＯＦＤＭ変調を行い、当該変調信号を送信アンテナから空間伝送路に放射する。一方、マルチキャリア受信装置１２０では、空間伝送路上の信号を、受信アンテナを介して受信し、当該受信信号を復調，復号して情報信号を再生する。また、ここでは、受信品質が劣化したキャリア番号を記載したキャリア番号情報に基づいて、受信品質の良好なマルチキャリアを用いて情報信号を伝送する。
【０００７】
つぎに、各装置の動作を詳細に説明をする。まず、入力回路１１１では、ビットストリーム等の信号に対して誤り訂正符号化を行う。ＯＦＤＭ送信部１１２では、誤り訂正符号化後の伝送すべき情報信号をＯＦＤＭ方式の信号に変調する。そして、この信号を空間伝送路における周波数帯域の信号に変換し、さらに、所定の送信電力に増幅する。その後、増幅後の信号は、送信アンテナから電磁波として空間伝送路に放射される。
【０００８】
一方、空間伝送路に放射された電磁波は、受信アンテナを介してマルチキャリア受信装置１２０に入力され、高周波増幅処理，中間周波数への変換処理，中間周波数増幅処理等が行われた後、ＯＦＤＭ受信部１２１に入力される。ＯＦＤＭ受信部１２１では、ＯＦＤＭ方式で変調された信号を復調する。出力回路１２２では、復調後の信号を復号し、受信品質の劣化したサブキャリアを不調キャリア送信部１２３に通知する。不調キャリア送信部１２３では、通知された受信品質の劣化したサブキャリアの番号を、空間伝送路を介してマルチキャリア送信装置１１０の不調キャリア受信部１１３に通知する。
【０００９】
不調キャリア受信部１１３では、以降の送信時および再送時に受信品質の劣化したサブキャリアを使用しないようにするため、通知されたサブキャリアの番号を入力回路１１１およびＯＦＤＭ送信部１１２に通知する。その後、マルチキャリア送信装置１１０では、良好なキャリアのみを使用して以降の送信処理および再送処理を行う。
【００１０】
これにより、従来のマルチキャリア移動体通信システムでは、特定のキャリアのＣ／Ｎ（Ｃａｒｒｉｅｒ　ｔｏ　Ｎｏｉｓｅ　ｒａｔｉｏ）が十分に得られない伝送路であっても、比較的安定した状態で伝送処理を行うことができる。
【００１１】
【特許文献１】
特開２００１−１４８６８２号公報
【００１２】
【発明が解決しようとする課題】
しかしながら、上記、再送制御方式が用いられた従来のマルチキャリア移動体通信システムでは、周波数選択性フェージングの変動周期が短く、初送データの送信時における伝搬環境と再送データの送信時における伝搬環境が異なる場合、回線品質の良好なサブキャリアに適切に再送データを割り当てることができない、という問題があった。
【００１３】
また、上記マルチキャリア移動体通信では、周波数選択性フェージングの変動周期が短く、初送データの初送時における伝搬環境と再送データの送信時における伝搬環境が異なり、ＡＲＱによる時間ダイバーシチ効果が十分に得られる場合であっても、再送データを割り当て可能なサブキャリア数の減少によりスループットが低下する、という問題があった。
【００１４】
また、上記マルチキャリア移動体通信システムでは、初送データを割り当てたサブキャリア数と比較して、再送データに割り当てるサブキャリア数が減少するため、送信可能なビット数が減少する、という問題があった。
【００１５】
本発明は、上記に鑑みてなされたものであって、常に回線品質の良好なサブキャリアに適切に再送データを割り当てることができ、かつスループットの低下を抑制可能な再送制御方法および通信装置を得ることを目的とする。
【００１６】
【課題を解決するための手段】
上述した課題を解決し、目的を達成するために、本発明にかかる再送制御方法にあっては、受信側装置が、サブキャリア毎またはサブキャリアグループ毎の受信回線品質を測定し、当該回線品質を返信し、さらに、受信データに誤りがある場合に再送を要求する再送要求ステップと、再送を要求された送信側装置が、前記回線品質に関する所定の情報に基づいて使用しないと判断したサブキャリアまたはサブキャリアグループ以外のサブキャリアを用いて、再送データを送信する送信ステップと、受信側装置が、前記使用しないと判断されたサブキャリアまたはサブキャリアグループ以外のサブキャリアに割り当てられた再送データを復調する復調ステップと、を含むことを特徴とする。
【００１７】
【発明の実施の形態】
以下に、本発明にかかる再送制御方法および通信装置の実施の形態を図面に基づいて詳細に説明する。なお、この実施の形態によりこの発明が限定されるものではない。
【００１８】
実施の形態１．
図１は、本発明にかかる再送制御方法のサブキャリアの割り当て処理の概念を示す図である。たとえば、初送データを送信する場合、送信側では、全てのサブキャリアに情報データをマッピングし、送信する（図１（ａ）参照）。一方、受信側では、既知パターンが配置されている共通パイロットチャネル等を用いて、サブキャリア毎またはサブキャリアグループ毎のＳＩＲ（Ｓｉｇｎａｌ　ｔｏ　Ｉｎｔｅｒｆｅｒｅｎｃｅ　Ｒａｔｉｏ）等の受信回線品質を測定し、その測定結果を送信側に通知する。また、受信側では、誤り検査符号ＣＲＣ（Ｃｙｃｌｉｃ　Ｒｅｄｕｎｄａｎｃｙ　Ｃｏｄｅ）等を検査することにより受信データに誤りが生じていることを確認すると、送信側に対して再送要求信号を通知する。送信側では、再送要求信号を受信すると、所定の方法で回線品質が劣悪であると判断したサブキャリアまたはサブキャリアグループを除いたサブキャリアを用いて、再送データをマッピングし、再送する（図１（ｂ）参照）。
【００１９】
図２は、実施の形態１の再送制御方法を実行可能な基地局（通信装置）の構成を示す図である。基地局は、誤り訂正符号化部１、データ変調部２、フレーム生成部３、Ｓ／Ｐ（Ｓｅｒｉａｌ／Ｐａｒａｌｌｅｌ）変換部４、インタリーブ部５、ＩＦＦＴ（Ｉｎｖｅｒｓｅ　Ｆａｓｔ　Ｆｏｕｒｉｅｒ　Ｔｒａｎｓｆｏｒｍ）部６、ＧＩ（Ｇｕａｒｄ　Ｉｎｔｅｒｖａｌ）挿入部７、送信ＲＦ（Ｒａｄｉｏ　Ｆｒｅｑｕｅｎｃｙ）部８、受信ＲＦ部９、回線品質情報検出部１０、再送要求情報検出部１１、フォーマット決定部１２、回線品質変動測定部１３から構成される。
【００２０】
ここで、上記基地局における再送制御について説明する。まず、２値の情報データは誤り訂正符号化部１に入力され、誤り訂正符号化部１では、たとえば、ターボ符号により誤り訂正符号化処理を施し、符号化データをデータ変調部２に対して出力する。
【００２１】
データ変調部２では、受け取った符号化データに、たとえば、ＱＰＳＫ変調を施し、変調データをフレーム生成部３に対して出力する。
【００２２】
フレーム生成部３では、上記変調データと、パイロットシンボルと、フォーマット決定部１２から出力されるフォーマット生成情報等の制御シンボルを受け取り、当該フォーマット生成情報で示されるサブキャリア数（またはサブキャリアグループ数）に応じたフレーム信号を生成し、その結果をＳ／Ｐ変換部４に対して出力する。図３は、フレーム生成部３によって生成されたフレーム信号の一例を示す図である。
【００２３】
Ｓ／Ｐ変換部４では、上記フォーマット生成情報で示されるサブキャリア数等に基づいて、受け取ったフレーム信号に対して直列並列変換処理を施す。ここでは、ＯＦＤＭ変調信号を構成する各サブキャリに対して関連付けられるフレーム信号を生成し、当該フレーム信号をインタリーブ部５に対して出力する。
【００２４】
インタリーブ部５では、上記フォーマット生成情報で示されるサブキャリア数等に基づいて、上記フレーム信号と対応するサブキャリアの順番を入れ替えるように再配置し、再配置後のフレームをＩＦＦＴ部６に対して出力する。
【００２５】
ＩＦＦＴ部６では、上記フォーマット生成情報で示されるサブキャリア数等に基づいて、再配置後のフレーム信号に対してＩＦＦＴ処理を施し、ＯＦＤＭ（直交周波数分割多重）信号を生成する。このとき、直交周波数分割多重信号をＧＩ挿入部７に対して出力する。
【００２６】
ＧＩ挿入部７では、受け取った直交周波数分割多重信号の末尾部のＧＩ区間に相当する信号部分を、信号の先頭部に付加し、ＧＩ付加後の信号を送信ＲＦ部８に対して出力する。
【００２７】
送信ＲＦ部８では、受け取った信号を空間伝送路上の周波数帯域の信号に変換し、さらに、所定の送信電力を有する信号を生成するために高周波増幅を行い、増幅後の信号を、送信アンテナを介して出力する。このとき、出力信号は電磁波として空間伝送路に放射される。
【００２８】
一方、受信ＲＦ部９では、移動局にて測定されたサブキャリア毎またはサブキャリアグループ毎の回線品質情報、および移動局にて情報データが正しく受信されたか否かを示す情報（再送要求情報）を、空間伝送路，受信アンテナを介して受信する。そして、高周波増幅処理，中間周波数への変換処理，中間周波数増幅処理等を行い、さらに復調処理を行い、復調後の回線品質情報を回線品質情報検出部１０および回線品質変動測定部１３に対して通知し、同時に、復調後の再送要求情報を再送要求情報検出部１１に対して通知する。
【００２９】
回線品質情報検出部１０では、受け取ったサブキャリア毎またはサブキャリアグループ毎の回線品質情報に対してしきい値判定を行い、所定の回線品質のしきい値を下回るサブキャリアまたはサブキャリアグループを回線品質変動測定部１３に対して通知する。
【００３０】
再送要求情報検出部１１では、受け取った再送要求情報に基づいて、移動局にて情報データが正しく受信されたか否かを判定し、情報データを再送するか否かを示す情報をフォーマット決定部１２および図示しない送信情報データバッファに対して通知する。
【００３１】
回線品質変動測定部１３では、受け取ったサブキャリア毎またはサブキャリアグループ毎の回線品質情報が最新のものから所定回数分だけ過去のものまで記憶されており、サブキャリア毎またはサブキャリアグループ毎に回線品質の分散値を測定し、その分散値が所定のしきい値を下回るか否かを判定する。そして、所定の分散値のしきい値を下回るサブキャリアまたはサブキャリアグループと、所定の回線品質のしきい値を下回るサブキャリアまたはサブキャリアグループと、が一致すると、時間ダイバーシチの効果が得られないので、それを使用しない（回線品質の劣悪な）サブキャリアまたはサブキャリアグループとしてフォーマット決定部１２に通知する。すなわち、回線品質が所定のしきい値を下回りかつ過去の履歴からその分散値が小さい（回線品質の変動が小さい）サブキャリアまたはサブキャリアグループは使用しない。これに対し、回線品質が所定のしきい値を下回った場合であっても、過去の履歴からその分散値が大きい（回線品質の変動が大きい）サブキャリアまたはサブキャリアグループについては、時間ダイバーシチの効果が得られるので使用する。
【００３２】
フォーマット決定部１２では、上記情報データを再送するか否かを示す情報および上記使用しないサブキャリアまたはサブキャリアグループに関する情報に基づいて、以降のフォーマットを決定する。たとえば、情報データを再送する場合には、使用しない（回線品質の劣悪な）サブキャリアまたはサブキャリアグループを除いたフォーマットを使用することを決定する。図４は、回線品質の劣悪なサブキャリアまたはサブキャリアグループを除いたフォーマットを示す図である。そして、回線品質が一定期間にわたって劣悪な状態であるサブキャリア以外のサブキャリアに再送データを割り付けるためのフォーマット生成情報を、誤り訂正符号化部１，データ変調部２，フレーム生成部３，Ｓ／Ｐ変換部４，インタリーブ部５およびＩＦＦＴ部６に通知する。一方、情報データを再送しない場合、または、情報データを再送する場合であっても使用しないサブキャリアまたはサブキャリアグループが通知されていない場合には、全サブキャリアを用いたフォーマットを使用することを決定する。そして、全サブキャリアに情報データを割り付けるためのフォーマット生成情報を、誤り訂正符号化部１，データ変調部２，フレーム生成部３，Ｓ／Ｐ変換部４，インタリーブ部５およびＩＦＦＴ部６に通知する。
【００３３】
図５は、実施の形態１の再送制御方法を実行可能な移動局（通信装置）の構成を示す図である。移動局は、受信ＲＦ部２０、ＧＩ除去部２１、ＦＦＴ（Ｆａｓｔ　Ｆｏｕｒｉｅｒ　Ｔｒａｎｓｆｏｒｍ）部２２、デインタリーブ部２３、Ｐ／Ｓ（Ｐａｒａｌｌｅｌ／Ｓｅｒｉａｌ）変換部２４、フレーム分割部２５、データ復調部２６、誤り訂正復号化部２７、フォーマット情報検出部２８、回線品質推定部２９、再送要求決定部３０および送信ＲＦ部３１から構成される。
【００３４】
ここで、上記移動局における再送制御について説明する。受信ＲＦ部２０では、空間伝送路に放射された自局宛ての電磁波を、受信アンテナを介して受信する。そして、高周波増幅処理，中間周波数への周波数変換処理および中間周波数増幅処理等を施した後の直交周波数分割多重信号を、ＧＩ除去部２１に対して出力する。
【００３５】
ＧＩ除去部２１では、受け取った直交周波数分割多重信号の先頭部のＧＩ区間に相当する信号部分を除去し、ＧＩ除去後の信号をＦＦＴ部２２に対して出力する。
【００３６】
ＦＦＴ部２２では、受け取ったＧＩ除去後の信号に対してＦＦＴ演算処理を施し、各サブキャリアの周波数成分を求め、その結果をデインタリーブ部２３および回線品質推定部２９に対して出力する。
【００３７】
デインタリーブ部２３では、前述のインタリーブ部５が行った処理と逆の処理を行う。すなわち、フォーマット情報検出部２８から出力されるフォーマット情報に基づいて、上記再配置されて伝送されたフレーム信号と対応するサブキャリアの順番を、最初の配置に並び替える。そして、並び替えられたデータをＰ／Ｓ変換部２４に対して出力する。
【００３８】
Ｐ／Ｓ変換部２４では、上記フォーマット情報に基づいて、受け取ったデータに対して並列直列変換処理を施し、その結果をフレーム信号としてフレーム分割部２５に対して出力する。
【００３９】
フレーム分割部２５では、上記フォーマット情報に基づいて、受け取ったフレーム信号を、変調データとフォーマット情報などが含まれる制御データとに分割し、変調データをデータ復調部２６に通知し、制御データをフォーマット情報検出部２８に通知する。
【００４０】
データ復調部２６では、上記フォーマット情報に基づいて、受け取った変調データを復調し、その復調データを誤り訂正復号化部２７に対して出力する。
【００４１】
フォーマット情報検出部２８では、受け取った制御データから、上記デインタリーブ処理，Ｐ／Ｓ変換処理，フレーム分割処理，データ復調処理および誤り訂正復号化処理に必要な情報（フォーマット情報）を抽出し、その抽出結果を、デインタリーブ部２３，Ｐ／Ｓ変換部２４，フレーム分割部２５，データ復調部２６および誤り訂正復号化部２７に通知する。
【００４２】
誤り訂正復号化部２７では、上記フォーマット情報に基づいて、受け取った復調データに対して誤りデータの検出処理および誤り訂正処理を行い、その結果を情報データとして図示しない移動局内部のベースバンド制御部に対して出力する。同時に、誤りデータの検査結果を、誤り検査データとして再送要求決定部３０に通知する。
【００４３】
再送要求決定部３０では、受け取った誤り検査データに基づいて、情報データの再送が必要かどうかを示す信号を、再送要求情報として送信ＲＦ部３１に通知する。
【００４４】
回線品質推定部２９では、ＦＦＴ部２２から出力されるパイロットシンボルのサブキャリアの周波数成分を受け取り、サブキャリア毎またはサブキャリアグループ毎のＳＩＲ等の受信回線品質を推定し、その結果を回線品質情報として送信ＲＦ部３１に通知する。
【００４５】
送信ＲＦ部３１では、受け取ったサブキャリア毎またはサブキャリアグループ毎の回線品質情報、および再送要求情報を、空間伝送路上の周波数帯域の信号に変換し、所定の送信電力を有する信号を生成するために高周波増幅を行い、増幅後の信号を、送信アンテナを介して出力する。この出力信号は、電磁波として空間伝送路に放射される。
【００４６】
このように、本実施の形態では、移動局が、基地局に対して再送要求とサブキャリア毎またはサブキャリアグループ毎の回線品質情報を通知し、基地局が、サブキャリア毎またはサブキャリアグループ毎の回線品質の変動に基づいて、回線品質が劣悪であると判断したサブキャリア以外のサブキャリアに、再送データを割り当てて送信し、移動局が、回線品質の劣悪なサブキャリア以外のサブキャリアに割り当てられた再送データを復調する。これにより、同一サブキャリアが、データの初送時に引き続き、データの再送時においても周波数選択性フェージングの影響を受け、回線品質の劣化状態が続くような場合であっても、伝送信号の誤り耐性を向上させることができるため、ＡＲＱの時間ダイバーシチ効果を回線品質の劣化したサブキャリア以外のサブキャリアにて得ることができる。
【００４７】
また、データの初送時とデータの再送時における同一サブキャリアの回線品質が時間的に変動している場合には、ＡＲＱによる時間ダイバーシチ効果が期待できるので、データ再送時においても全サブキャリアにデータを割り当てて送信する。これにより、ＡＲＱによる時間ダイバーシチ効果を十分に得ることができ、かつスループットの低下を抑制することができる。
【００４８】
なお、本実施の形態の再送制御方法は、同時双方向通信（デュープレクス通信）を実現するための方式として、基地局から移動局への下りリンクと移動局から基地局への上りリンクとを周波数分離する周波数分割双方向伝送（ＦＤＤ：Ｆｒｅｑｕｅｎｃｙ　Ｄｉｖｉｓｉｏｎ　Ｄｕｐｌｅｘ）を採用した場合を想定している。そのため、下りリンクにおけるサブキャリア毎またはサブキャリアグループ毎の回線品質を移動局にて推定し、上りリンクにて基地局へ通知している。しかしながら、同時双方向通信（デュープレクス通信）を実現するための方式としては、これに限らず、たとえば、下りリンクと上りリンクを同一周波数で時間分離する時間分割双方向伝送（ＴＤＤ：Ｔｉｍｅ　Ｄｉｖｉｓｉｏｎ　Ｄｕｐｌｅｘ）を採用することとしてもよい。この場合には、上りリンクと下りリンクの回線品質の変動が同一であるとみなすことができるため、下りリンクにおけるサブキャリア毎またはサブキャリアグループ毎の回線品質を、移動局から基地局へ通知する必要がない。すなわち、ＴＤＤでは、上りリンクにおけるサブキャリア毎またはサブキャリアグループ毎の回線品質を基地局にて推定し、その変動に基づいて、再送時に使用しないサブキャリアまたはサブキャリアグループを決定する。
【００４９】
また、本実施の形態の再送制御方法では、基地局が、移動局により推定されたサブキャリア毎またはサブキャリアグループ毎の回線品質、および回線品質の変動、をしきい値判定し、再送時に使用しないサブキャリアを決定しているが、この判定処理および決定処理は、基地局に限らず、移動局で行うこととしてもよい。この場合は、移動局が、回線品質および回線品質の変動をしきい値判定し、再送時に使用しないサブキャリア番号またはサブキャリアグループ番号を決定し、当該番号を基地局に通知する。
【００５０】
また、本実施の形態の再送制御方法では、サブキャリア毎またはサブキャリアグループ毎の回線品質の変動に基づいて回線品質が劣悪かどうかを判断して、除くサブキャリアを決定しているが、これに限らず、回線品質が劣悪なサブキャリア数またはサブキャリアグループ数に基づいて、除くサブキャリアを決定してもよい。たとえば、ある特定のサブキャリアの回線品質が劣悪なときであっても、サブキャリア全体のＢＥＲが小さいような伝搬環境では、誤り訂正の効果を十分に得ることができる。
【００５１】
また、本実施の形態の再送制御方法では、分散値に基づいて回線品質が一定期間にわたって劣悪な状態のサブキャリアまたはサブキャリアグループを判定しているが、これに限らず、たとえば、回線品質を一定期間にわたって平均化した値に基づいて、劣悪な状態のサブキャリアまたはサブキャリアグループを判定することとしてもよい。
【００５２】
実施の形態２．
図６は、実施の形態２の再送制御方法を実行可能な基地局の構成を示す図である。本実施の形態では、前述の実施の形態１の基地局に、送信要求回数カウンタ部１４を追加する。なお、先に説明した実施の形態１と同様の構成については、同一の符号を付してその説明を省略する。ここでは、実施の形態１と異なる動作についてのみ説明する。
【００５３】
再送要求回数カウンタ部１４では、再送要求情報検出部１１から出力された情報データを再送するか否かを示す情報を受け取る。そして、たとえば、受け取った情報が再送することを示している場合は、再送要求回数カウンタを「１」だけインクリメントし、再送しないことを示している場合は、再送要求回数カウンタを「０」にリセットする。このとき、再送要求回数カウンタは、システムで予め定められている最大再送要求回数までカウントアップを行い、最大再送要求回数に達すると、再び「０」にリセットされる。再送要求回数カウンタの値は、フォーマット決定部１２に通知される。
【００５４】
フォーマット決定部１２では、上記再送要求回数カウンタの値、および回線品質変動測定部１３から受け取る使用しないサブキャリアまたはサブキャリアグループに関する情報、に基づいて、以降のフォーマットを決定する。たとえば、再送要求回数に基づいて、使用しないサブキャリア数またはサブキャリアグループ数を決定し、その数分のサブキャリアまたはサブキャリアグループを除いたサブキャリアを用いたフォーマットを使用することを決定する。そして、回線品質が劣悪であると判断されたサブキャリアを除いたサブキャリアのみに再送データを割り付けるためのフォーマット生成情報を、誤り訂正符号化部１，データ変調部２，フレーム生成部３，Ｓ／Ｐ変換部４，インタリーブ部５およびＩＦＦＴ部６に通知する。一方、再送要求回数カウンタの値が「０」の場合、または、再送要求回数カウンタの値が「０」でない場合であっても使用しないサブキャリアまたはサブキャリアグループが通知されていない場合には、全サブキャリアを用いたフォーマットを使用する。そして、全サブキャリアに情報データを割り付けるためのフォーマット生成情報を、誤り訂正符号化部１，データ変調部２，フレーム生成部３，Ｓ／Ｐ変換部４，インタリーブ部５およびＩＦＦＴ部６に通知する。
【００５５】
図７は、実施の形態２の具体的な再送制御方法を示す図であり、詳細には、フォーマット決定部１２が、再送要求回数に基づいて、使用しないサブキャリア数またはサブキャリアグループ数を決定する手順を示している。ここでは、システムで規定された最大再送要求回数をＮｍａｘ＝５とし、再送要求回数カウンタ部１４にて通知される再送要求回数をＮとし、回線品質変動測定部１３から通知される不良サブキャリア数をＮｎｇとし、フォーマット決定部１２が再送要求回数に応じて決定する使用しないサブキャリア数をＮｕｎｕｓｅｄとした場合の、使用しないサブキャリア数を、次式（１）を用いて求める。
Ｎｕｎｕｓｅｄ＝Ｎｎｇ／（２＾（Ｎｍａｘ−Ｎ））　　　…（１）
【００５６】
すなわち、本実施の形態では、回線品質が劣悪なサブキャリアを全て使用しないのではなく、再送要求回数の増加に伴って、回線品質が劣悪なサブキャリアにおける使用しないサブキャリア数の割合を増やしていく。なお、使用しないサブキャリアは、前述の実施の形態１と同様に、回線品質の平均値や分散値に基づいて選択する。
【００５７】
このように、本実施の形態では、移動局が、基地局に対して再送要求とサブキャリア毎またはサブキャリアグループ毎の回線品質情報を通知し、基地局が、サブキャリア毎またはサブキャリアグループ毎の回線品質の変動および再送要求回数に基づいて、回線品質が劣悪と判断したサブキャリアの中から使用しないサブキャリアの数と使用しないサブキャリアを決定し、使用しないサブキャリア以外のサブキャリアに再送データを割り当てて送信し、移動局が、使用しないと決定したサブキャリア以外のサブキャリアに割り当てられた再送データを復調する。すなわち、基地局は、データの初送時には全サブキャリアを使用し、データの再送回数の増加に伴って使用しないサブキャリア数の割合を増やすこととした。これにより、同一サブキャリアが、データの初送時に引き続き、データの再送時においても周波数選択性フェージングの影響を受け、回線品質の劣化状態が続くような場合であっても、伝送信号の誤り耐性を向上させることができるため、ＡＲＱの時間ダイバーシチ効果を回線品質の劣化したサブキャリア以外のサブキャリアにて得ることができる。
【００５８】
また、システムで規定された最大再送要求回数に達するまでは、再送要求回数の増加に伴って使用しないサブキャリア数の割合を増やすこととしたため、再送要求回数が少ない場合については、ＡＲＱによる時間ダイバーシチ効果やＨＡＲＱによる符号化利得を十分に得ることができ、かつスループットの低下を抑制することができる。
【００５９】
実施の形態３．
つぎに、実施の形態３の再送制御方法について説明する。ここでは、前述した実施の形態１または２と異なる動作についてのみ説明する。
【００６０】
図８は、ＨＡＲＱの基本動作原理を示す図である。ＨＡＲＱは、受信側で検出した誤りのある受信データを破棄することなく、再送データと前回までの受信データの軟判定情報をシンボル毎に合成することにより、ＳＩＲを向上させて受信信号の符号誤り率を低減させる再送制御である。
【００６１】
ここで、代表的なＨＡＲＱの具体例について説明する。まず、ＴｙｐｅＩのＨＡＲＱでは、初送データと再送データに対して、送信する情報ビット系列を同じ符号化率Ｒにて誤り訂正符号化処理を施し、受信側が、誤りのある受信データを破棄することなく、再送データと前回までの受信データの軟判定情報をシンボル毎に合成する。
【００６２】
つぎに、ＴｙｐｅＩＩＩのＨＡＲＱでは、送信する情報ビット系列に対して符号化率Ｒ´で誤り訂正符号化処理を施した後、送信回数により異なる消去規則に基づいてパンクチャド符号化を行い、受信側が、受信バッファに保存された初送データと再送データを符号合成することにより、間引きを行う前の符号化率Ｒ´で復号する。これにより、時間ダイバーシチ効果に加えて符号化利得向上による受信特性の改善を得る。
【００６３】
つぎに、ＴｙｐｅＩＩのＨＡＲＱでは、送信する情報ビット系列に対して符号化率Ｒ´で誤り訂正符号化処理を施した後、送信回数により異なる消去規則に基づいてパンクチャド符号化を行い、再送データには、情報ビット系列を含ませずにパリティビット系列のみを送信し、受信側が、受信バッファに保存された初送データと再送データを符号合成することにより、間引きを行う前の符号化率Ｒ´で復号する。これにより、時間ダイバーシチ効果に加えて符号化利得向上による受信特性の改善を得る。
【００６４】
図９は、実施の形態３の再送制御方法を実行可能な基地局の構成を示す図である。本実施の形態では、フォーマット決定部１２ａにＨＡＲＱ方式選択部１５ａを設ける。また、本実施の形態の誤り訂正符号化部１ａは、後述するターボ符号器で構成される。なお、先に説明した実施の形態１と同様の構成については、同一の符号を付してその説明を省略する。ここでは、実施の形態１と異なる動作についてのみ説明する。
【００６５】
フォーマット決定部１２ａのＨＡＲＱ方式選択部１５ａでは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、再送データを初送データと異なるＨＡＲＱタイプで送信することを決定する。そして、フォーマット決定部１２ａに新たなＨＡＲＱタイプを通知する。たとえば、初送データ送信時には、情報ビット系列およびパリティビット系列が多重化されるＴｙｐｅＩＩＩのＨＡＲＱを採用し、再送データ送信時には、パリティビット系列のみが送信されるＴｙｐｅＩＩのＨＡＲＱを採用する。図８において、ＴｙｐｅＩＩのＨＡＲＱの再送データは、ＴｙｐｅＩＩＩのＨＡＲＱの再送データと同じ符号化率であるが、情報ビット系列分が除かれているため、データ長が１／２となっている。すなわち、再送データを割り当てるサブキャリア数も１／２となる。
【００６６】
なお、上記に限らず、たとえば、ＴｙｐｅＩＩのＨＡＲＱまたはＴｙｐｅＩＩＩのＨＡＲＱを採用する場合については、初送データと再送データで同じＨＡＲＱタイプを使用し、初送データにおけるパンクチャド符号化率よりも再送データにおけるパンクチャド符号化率を下げることとしてもよい。すなわち、後述するターボ符号器（後述する間引／多重部５３に相当）において、再送時における間引く数を、初送時よりも増やす。
【００６７】
また、フォーマット決定部１２ａでは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、使用しないサブキャリアまたはサブキャリアグループ以外のサブキャリアを用いたフォーマットを使用することを決定する。さらに、初送時とは異なるＨＡＲＱタイプを使用することを決定する。そして、初送時とは異なるＨＡＲＱタイプを用いて回線品質が劣悪なサブキャリア以外のサブキャリアに再送データを割り付けるためのフォーマット生成情報を、誤り訂正符号化部１ａ，データ変調部２，フレーム生成部３，Ｓ／Ｐ変換部４，インタリーブ部５およびＩＦＦＴ部６に通知する。一方、情報データを再送しないと通知された場合、または、情報データを再送すると通知された場合であっても使用しないサブキャリアまたはサブキャリアグループが通知されていない場合には、全サブキャリアを用いたフォーマットを使用することを決定する。そして、全サブキャリアに情報データを割り付けるためのフォーマット生成情報を、誤り訂正符号化部１ａ，データ変調部２，フレーム生成部３，Ｓ／Ｐ変換部４，インタリーブ部５およびＩＦＦＴ部６に通知する。
【００６８】
図１０は、実施の形態３の再送制御方法を実行可能な移動局の構成を示す図である。本実施の形態では、実施の形態１の図５の構成に加えて、さらに受信情報データバッファ部３２を設ける。また、本実施の形態の誤り訂正復号化部２７ａは、後述するターボ復号器で構成される。なお、先に説明した実施の形態１と同様の構成については、同一の符号を付してその説明を省略する。ここでは、実施の形態１と異なる動作についてのみ説明する。
【００６９】
受信情報データバッファ部３２では、受け取った復調データの軟判定情報を送信順序番号等と対応させて保存する。そして、送信順序番号等を参照し、受け取った復調データが再送データである場合には、フォーマット情報検出部２８ａからのフォーマット情報で示されるＨＡＲＱタイプに基づいて、再送データと同じ送信順序番号に対応する前回までの受信データの軟判定情報をシンボル毎に合成し、その合成結果を誤り訂正復号化部２７ａに対して出力する。受け取った復調データが再送データでない場合には、そのままの状態でその復調データを誤り訂正復号化部２７ａに対して出力する。なお、保存している軟判定情報は、情報データを正しく受信できた場合に削除される。
【００７０】
誤り訂正復号化部２７ａでは、上記フォーマット情報で示されるＨＡＲＱタイプに基づいて、誤り訂正符号化部１ａが有する訂正信号のアルゴリズムを解読し、受け取った復調データに対して誤りデータの検出処理および誤り訂正処理を施し、情報データを出力する。同時に、誤りデータの検査結果を、誤り検査データとして再送要求決定部３０に通知する。
【００７１】
フォーマット情報検出部２８ａでは、受け取った制御データから、デインタリーブ処理，Ｐ／Ｓ変換処理，フレーム分割処理，データ復調処理，パケット合成処理および誤り訂正復号化処理に必要な情報（フォーマット情報）を抽出し、その抽出結果を、デインタリーブ部２３，Ｐ／Ｓ変換部２４，フレーム分割部２５，データ復調部２６，受信情報データバッファ部３２および誤り訂正復号化部２７ａに通知する。
【００７２】
図１１は、上記誤り訂正符号化部１ａ、すなわち、ターボ符号器の構成を示す図である。このターボ符号器では、まず、情報ビット系列が要素符号器５０に入力され、要素符号器５０が、パリティビット系列（１）を生成する。また、ターボインタリーバ５２では、情報ビット系列を並べ替え、並べ替え後の情報ビット系列を要素符号器５１に出力する。要素符号器５１では、パリティビット系列（２）を生成する。
【００７３】
間引／多重部５３では、パリティビット系列（１）およびパリティビット系列（２）に対して間引き処理／多重化処理を施す。多重化部５４では、さらに受け取った多重化信号と情報ビット系列とを多重化し、符号化ビット系列を生成する。ここでいう間引き処理／多重化処理とは、たとえば、奇数時点ではパリティビット系列（１）が、偶数時点ではパリティビット系列（２）が出力されるように、二つの入力系列を間引きしながら多重化することを示す。なお、間引き処理を行わずに、多重化処理のみを行う方法もある。
【００７４】
図１２は、上記誤り訂正復号化部２７ａ、すなわち、ターボ復号器の構成を示す図である。このターボ復号器では、要素復号器６０が、符号化ビット系列と要素復号器６１から通知される信頼度情報である事前値（１）とを用いて復号処理を実行し、信頼度の増分である外部値（１）を出力する。ターボインタリーバ６２では、外部値（１）を並べ替えて、その結果を事前値（２）として要素復号器６１に通知する。要素復号器６１では、ターボインタリーバ６２から受け取った並べ替え後の符号化系列と事前値（２）とを用いて復号処理を実行し、外部値（２）を出力する。ターボデインタリーバ６３では、外部値（２）をターボインタリーバ６２にて並べ替える前の状態に戻し、その結果を事前値（１）として要素復号器６０に通知する。以降、同様の手順で繰り返し復号が行われる。
【００７５】
そして、上記操作を所定数回分だけ繰り返した後、要素復号器６１では、対数事後確率比として定義される事後値を硬判定することにより、最終判定結果を出力する。
【００７６】
このように、本実施の形態では、移動局が、基地局に対して再送要求とサブキャリア毎またはサブキャリアグループ毎の回線品質情報を通知し、基地局が、サブキャリア毎またはサブキャリアグループ毎の回線品質の変動に応じて、回線品質が劣悪であると判断したサブキャリア以外のサブキャリアに再送データを割り当てるとともに、さらに、回線品質の劣悪なサブキャリア数またはサブキャリアグループ数に応じて、再送時については初送時とは異なるパケット合成タイプを選択して送信し、移動局が、回線品質の劣悪なサブキャリア以外のサブキャリアに割り当てられた再送データを復調する。すなわち、データの初送時には全サブキャリアを使用し、データの再送時には回線品質が劣悪であると判断したサブキャリア以外のサブキャリアを使用し、さらに、パケット合成タイプを変更する。これにより、同一サブキャリアが、データの初送時に引き続き、データの再送時においても周波数選択性フェージングの影響を受け、回線品質の劣化状態が続くような場合であっても、伝送信号の誤り耐性を向上させることができるため、ＨＡＲＱの時間ダイバーシチ効果および十分な符号化利得を回線品質の劣化したサブキャリア以外のサブキャリアにて得ることができる。
【００７７】
また、データの初送時とデータの再送時における同一サブキャリアの回線品質が時間的に変動している場合には、ＨＡＲＱによる時間ダイバーシチ効果が期待できるので、データ再送時においても全サブキャリアにデータを割り当てて送信する。これにより、ＨＡＲＱによる時間ダイバーシチ効果および十分な符号化利得を得ることができ、かつスループットの低下を抑制することができる。
【００７８】
また、本実施の形態では、初送時と比べて再送時に使用するサブキャリアの数が減少した場合であっても、再送時には初送時と異なるパケット合成タイプを選択可能なため、再送データを割り当てるサブキャリアの数が不足することがない。これにより、ＨＡＲＱの時間ダイバーシチ効果および十分な符号化利得を、回線品質の劣悪なサブキャリア以外のサブキャリアにて得ることができる。
【００７９】
なお、本実施の形態の再送制御方法では、サブキャリア毎またはサブキャリアグループ毎の回線品質の変動に応じて、再送時に回線品質が劣悪と判断したサブキャリア以外のサブキャリアに再送データを割り当て、そして、パケット合成タイプを変更するか否かを選択しているが、これに限らず、たとえば、再送要求回数に応じて、回線品質が劣悪と判断されたサブキャリアの中から使用しないサブキャリアを決定し、使用しないと決定したサブキャリア以外のサブキャリアに再送データを割り当て、そして、パケット合成タイプを変更するか否かを選択することとしてもよい。
【００８０】
実施の形態４．
つぎに、実施の形態４の再送制御方法について説明する。ここでは、前述した実施の形態１、２または３と異なる動作についてのみ説明する。
【００８１】
図１３は、実施の形態４の再送制御方法を実行可能な基地局の構成を示す図である。本実施の形態では、実施の形態３の図９の構成に加えて、さらに送信情報データバッファ部１７を設ける。また、フォーマット決定部１２ｂに再送データ分割決定部１６ｂを設ける。なお、先に説明した実施の形態１〜３と同様の構成については、同一の符号を付してその説明を省略する。ここでは、実施の形態３と異なる動作についてのみ説明する。
【００８２】
フォーマット決定部１２ｂの再送データ分割決定部１６ｂでは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、再送データを分割送信するか否かを決定する。そして、フォーマット決定部１２ｂに再送データを分割するか否かを通知する。たとえば、再送データ送信時に、回線品質情報検出部１０から通知される使用しないサブキャリア数またはサブキャリアグループ数が全サブキャリア数の半分の場合、フォーマット決定部１２ｂでは、再送データを２分割することを決定する。
【００８３】
送信情報データバッファ部１７には、誤り訂正符号化部１ａに対して出力する２値の情報データが格納されている。ここでは、再送要求情報検出部１１から情報データを再送することが通知されると、格納されている情報データを送信順序番号等に基づいて取り出す。さらに、フォーマット決定部１２ｂから出力されるフォーマット生成情報にて示される再送データの分割数や分割サイズに基づいて、取り出した情報データを分割し、その結果を再送データとして出力する。一方、情報データを再送しないこと、すなわち、受信側にて情報データが正しく受信された場合には、格納されている情報データを送信順序番号等に基づいて削除し、新たな情報データを出力する。
【００８４】
また、フォーマット決定部１２ｂでは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、使用しないサブキャリアまたはサブキャリアグループを除いたサブキャリアを用いたフォーマットを使用することを決定する。また、再送データの分割サイズを決定する。そして、回線品質が劣悪であると判断したサブキャリアを除いたサブキャリアのみに再送データおよびつぎの再送データを割り付けるためのフォーマット生成情報を、送信情報データバッファ部１７，誤り訂正符号化部１ａ，データ変調部２，フレーム生成部３，Ｓ／Ｐ変換部４，インタリーブ部５およびＩＦＦＴ部６に通知する。一方、情報データを再送しないと通知された場合、または、情報データを再送すると通知された場合であっても使用しないサブキャリアまたはサブキャリアグループが通知されていない場合には、全サブキャリアを用いたフォーマットを使用することを決定する。そして、全サブキャリアに情報データを割り付けるためのフォーマット情報を、送信情報データバッファ部１７，誤り訂正符号化部１ａ，データ変調部２，フレーム生成部３，Ｓ／Ｐ変換部４，インタリーブ部５およびＩＦＦＴ部６に通知する。
【００８５】
このように、本実施の形態では、移動局が、基地局に対して再送要求とサブキャリア毎またはサブキャリアグループ毎の回線品質情報を通知し、基地局が、サブキャリア毎またはサブキャリアグループ毎の回線品質の変動に応じて、回線品質が劣悪であると判断したサブキャリア以外のサブキャリアに再送データを割り当てるとともに、さらに、回線品質の劣悪なサブキャリア数またはサブキャリアグループ数に応じて、再送データの分割サイズを決定して送信し、移動局が、分割された再送データを復調する。すなわち、データの初送時には全サブキャリアを使用し、データの再送時には回線品質が劣悪であると判断したサブキャリア以外のサブキャリアを使用して再送データを分割送信する。これにより、同一サブキャリアが、データの初送時に引き続き、データの再送時においても周波数選択性フェージングの影響を受け、回線品質の劣化状態が続くような場合であっても、伝送信号の誤り耐性を向上させることができるため、ＨＡＲＱの時間ダイバーシチ効果および十分な符号化利得を回線品質の劣化したサブキャリア以外のサブキャリアにて得ることができる。
【００８６】
また、データの初送時とデータの再送時における同一サブキャリアの回線品質が時間的に変動している場合には、ＨＡＲＱによる時間ダイバーシチ効果が期待できるので、データ再送時においても全サブキャリアにデータを割り当てて送信する。これにより、ＨＡＲＱによる時間ダイバーシチ効果および十分な符号化利得を得ることができ、かつスループットの低下を抑制することができる。
【００８７】
また、本実施の形態では、初送時と比べて再送時に使用するサブキャリアの数が減少した場合であっても、再送データを分割送信することが可能なため、再送データを割り当てるサブキャリアの数が不足することがない。これにより、ＨＡＲＱの時間ダイバーシチ効果および十分な符号化利得を、回線品質の劣悪なサブキャリアを除いたサブキャリアにて得ることができる。
【００８８】
なお、本実施の形態の再送制御方法では、サブキャリア毎またはサブキャリアグループ毎の回線品質の変動に応じて、再送時に回線品質が劣悪であると判断したサブキャリア以外のサブキャリアに再送データを割り当て、そして、再送データを分割送信するか否かを選択することとしているが、これに限らず、たとえば、再送要求回数に応じて、回線品質が劣悪と判断されたサブキャリアの中から使用しないサブキャリアを決定し、使用しないと決定したサブキャリア以外のサブキャリアに再送データを割り当て、そして、再送データを分割送信するか否かを選択することとしてもよい。
【００８９】
実施の形態５．
つぎに、実施の形態５の再送制御方法について説明する。ここでは、前述した実施の形態１、２、３または４と異なる動作についてのみ説明する。
【００９０】
図１４は、実施の形態５の再送制御方法を実行可能な基地局の構成を示す図である。本実施の形態では、実施の形態３の図９の構成に加えて、さらに適応変調部１９を設ける。また、フォーマット決定部１２ｃに適応変調方式選択部１８ｃを設ける。なお、先に説明した実施の形態１〜４と同様の構成については、同一の符号を付してその説明を省略する。ここでは、実施の形態３と異なる動作についてのみ説明する。
【００９１】
フォーマット決定部１２ｃの適応変調方式選択部１８ｃでは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、再送データのデータ変調方式を初送データにおけるデータ変調方式から変更するか否かを決定する。そして、フォーマット決定部１２ｃに再送データのデータ変調方式を通知する。たとえば、１つのサブキャリアで伝送できるビット数は、ＱＰＳＫを用いると２ビットであり、１６ＱＡＭを用いると２倍の４ビットである。これを利用して、フォーマット決定部１２ｃでは、初送データのデータ変調方式にＱＰＳＫを用いた場合、再送データ送信時に、回線品質情報検出部１０から通知される使用しないサブキャリア数またはサブキャリアグループ数が全サブキャリア数の半分であれば、再送データのデータ変調方式に１６ＱＡＭを用いることを決定する。
【００９２】
適応変調部１９では、フォーマット決定部１２ｃから通知された変調方式を用いて、受け取った符号化データに対して変調処理を施し、変調データをフレーム生成部３に対して出力する。
【００９３】
また、フォーマット決定部１２ｃでは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、使用しないサブキャリアまたはサブキャリアグループを除いたサブキャリアを用いたフォーマットを使用することを決定する。また、再送データの変調方式を決定する。そして、回線品質が劣悪であると判断したサブキャリアを除いたサブキャリアのみに再送データを割り付けるためのフォーマット生成情報を、誤り訂正符号化部１ａ，適応変調部１９，フレーム生成部３，Ｓ／Ｐ変換部４，インタリーブ部５およびＩＦＦＴ部６に通知する。一方、情報データを再送しないと通知された場合、または、情報データを再送すると通知された場合であっても使用しないサブキャリアまたはサブキャリアグループが通知されていない場合には、全サブキャリアを用いたフォーマットを使用することを決定する。そして、全サブキャリアに情報データを割り付けるためのフォーマット生成情報を、誤り訂正符号化部１ａ，適応変調部１９，フレーム生成部３，Ｓ／Ｐ変換部４，インタリーブ部５およびＩＦＦＴ部６に通知する。
【００９４】
このように、本実施の形態では、移動局が、基地局に対して再送要求とサブキャリア毎またはサブキャリアグループ毎の回線品質情報を通知し、基地局が、サブキャリア毎またはサブキャリアグループ毎の回線品質の変動に応じて、回線品質が劣悪であると判断したサブキャリア以外のサブキャリアに再送データを割り当てるとともに、さらに、回線品質の劣悪なサブキャリア数またはサブキャリアグループ数に応じて、再送データの変調方式を決定して送信し、移動局が、新たな変調方式で変調された再送データを復調する。すなわち、データの初送時には全サブキャリアを使用し、データの再送時には回線品質が劣悪であると判断したサブキャリア以外のサブキャリアを使用するとともに、再送データの変調方式を変更する。これにより、同一サブキャリアが、データの初送時に引き続き、データの再送時においても周波数選択性フェージングの影響を受け、回線品質の劣化状態が続くような場合であっても、伝送信号の誤り耐性を向上させることができるため、ＨＡＲＱの時間ダイバーシチ効果および十分な符号化利得を回線品質の劣化したサブキャリア以外のサブキャリアにて得ることができる。
【００９５】
また、データの初送時とデータの再送時における同一サブキャリアの回線品質が時間的に変動している場合には、ＨＡＲＱによる時間ダイバーシチ効果が期待できるので、データ再送時においても全サブキャリアにデータを割り当てて送信する。これにより、ＨＡＲＱによる時間ダイバーシチ効果および十分な符号化利得を得ることができ、かつスループットの低下を抑制することができる。
【００９６】
また、本実施の形態では、初送時と比べて再送時に使用するサブキャリアの数が減少した場合であっても、再送データの変調方式を変更することが可能なため、再送データに割り当てるサブキャリアの数が不足することはない。これにより、ＨＡＲＱの時間ダイバーシチ効果および十分な符号化利得を、回線品質の劣悪なサブキャリアを除いたサブキャリアにて得ることができる。
【００９７】
なお、本実施の形態の再送制御方法では、サブキャリア毎またはサブキャリアグループ毎の回線品質の変動に応じて、再送時に回線品質が劣悪であると判断したサブキャリア以外のサブキャリアに再送データを割り当て、そして、再送データの変調方式を変更するか否かを選択することとしているが、これに限らず、たとえば、再送要求回数に応じて、回線品質が劣悪と判断されたサブキャリアの中から使用しないサブキャリアを決定し、使用しないと決定したサブキャリア以外のサブキャリアに再送データを割り当て、そして、再送データの変調方式を変更するか否かを選択することとしてもよい。
【００９８】
実施の形態６．
つぎに、実施の形態６の再送制御方法について説明する。ここでは、前述した実施の形態１、２、３、４または５と異なる動作についてのみ説明する。
【００９９】
図１５は、実施の形態６の再送制御方法を実行可能な基地局の構成を示す図である。本実施の形態では、実施の形態３の図９の構成に加えて、さらにシンボルコピー部４１，拡散処理部４２，符号多重部４３を設ける。また、フォーマット決定部１２ｄに拡散率選択部４０ｄを設ける。なお、先に説明した実施の形態１〜５と同様の構成については、同一の符号を付してその説明を省略する。ここでは、実施の形態３と異なる動作についてのみ説明する。
【０１００】
フォーマット決定部１２ｄの拡散率選択部４０ｄでは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、再送データの拡散率を初送データの拡散率から変更するか否かを決定する。そして、フォーマット決定部１２ｄに再送データの拡散率を通知する。たとえば、ＣＤＭＡ（Ｃｏｄｅ　Ｄｉｖｉｓｉｏｎ　Ｍｕｌｔｉｐｌｅ　Ａｃｃｅｓｓ）を適用しないマルチキャリアシステムでは、１シンボルを伝送するために１つのサブキャリアが必要となるが、ＯＦＤＭにＣＤＭＡを適用するマルチキャリアＣＤＭＡシステムでは、拡散率１６を用いると１６のサブキャリアが必要となり、拡散率８を用いると８のサブキャリアが必要となる。これを利用して、フォーマット決定部１２ｄでは、初送データの拡散率に１６を用いた場合、再送データ送信時に、回線品質情報検出部１０から通知される使用しないサブキャリア数またはサブキャリアグループ数が全サブキャリア数の半分であれば、再送データの拡散率を８に決定する。
【０１０１】
シンボルコピー部４１では、インタリーブ部５から出力された並べ替え後のフレーム信号を、フォーマット決定部１２ｄから通知されるフォーマット生成情報に基づいて、１シンボル毎にコピーをする。たとえば、フォーマット生成情報で示される拡散率が８の場合には、１シンボルを８つにコピーする。
【０１０２】
拡散処理部４２では、上記フォーマット生成情報に基づいて、コピー後のフレーム信号に対して直行可変拡散率（ＯＶＳＦ：Ｏｒｔｈｏｇｏｎａｌ　Ｖａｒｉａｂｌｅ　Ｓｐｒｅａｄｉｎｇ
Ｆａｃｔｏｒ）コード等の直交符号を乗じる。
【０１０３】
符号多重部４３では、上記フォーマット生成情報に基づいて、拡散処理後のデータを符号多重する。そして、符号多重後のデータを、ＩＦＦＴ部６に通知する。なお、受信側では、拡散処理部４２で乗じられるＯＶＳＦ等の直交符号が異なれば、逆拡散処理を行うことにより符号多重後のデータを分離することができる。
【０１０４】
また、フォーマット決定部１２ｄは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、使用しないサブキャリアまたはサブキャリアグループを除いたサブキャリアを用いたフォーマットを使用することを決定する。また、再送データの拡散率を決定する。そして、回線品質が劣悪であると判断したサブキャリアを除いたサブキャリアのみに再送データを割り付けるためのフォーマット生成情報を、誤り訂正符号化部１ａ，データ変調部２，フレーム生成部３，Ｓ／Ｐ変換部４，インタリーブ部５，シンボルコピー部４１，拡散処理部４２，符号多重部４３およびＩＦＦＴ部６に通知する。一方、情報データを再送しないと通知された場合、または、情報データを再送すると通知された場合であっても使用しないサブキャリアまたはサブキャリアグループが通知されていない場合には、全サブキャリアを用いたフォーマットを使用することを決定する。そして、全サブキャリアに情報データを割り付けるためのフォーマット生成情報を、誤り訂正符号化部１ａ，データ変調部２，フレーム生成部３，Ｓ／Ｐ変換部４，インタリーブ部５，シンボルコピー部４１，拡散処理部４２，符号多重部４３およびＩＦＦＴ部６に通知する。
【０１０５】
図１６は、実施の形態６の再送制御方法を実行可能な移動局の構成を示す図である。本実施の形態では、実施の形態３の図１０の構成に加えて、さらに逆拡散処理部４４，シンボル合成部４５を設ける。なお、先に説明した実施の形態１〜５と同様の構成については、同一の符号を付してその説明を省略する。ここでは、実施の形態３と異なる動作についてのみ説明する。
【０１０６】
逆拡散処理部４４では、フォーマット情報検出部２８ｂから通知されるフォーマット情報に基づいて、ＦＦＴ部２２から出力された各サブキャリアにおける周波数成分の信号に対して、上記拡散処理部４２で用いられたＯＶＳＦ符号を乗じることにより、所望の信号を、符号多重部４３で符号多重された信号から分離する。
【０１０７】
シンボル合成部４５では、上記フォーマット情報および回線品質推定部２９から出力されるサブキャリア毎の回線品質推定結果に基づいて、逆拡散後の信号に対して、詳細には、上記シンボルコピー部４１で拡散率に応じてコピーされたシンボル毎に、最大比合成を行う。そして、シンボル合成後の信号を、デインタリーブ部２３に対して出力する。
【０１０８】
フォーマット情報検出部２８ｂでは、受け取った制御データから、逆拡散処理，シンボル合成処理，デインタリーブ処理，Ｐ／Ｓ変換処理，フレーム分割処理，データ復調処理，パケット合成処理および誤り訂正復号化処理に必要な情報（フォーマット情報）を抽出し、その抽出結果を、逆拡散処理部４４，シンボル合成部４５，デインタリーブ部２３，Ｐ／Ｓ変換部２４，フレーム分割部２５，データ復調部２６，受信情報データバッファ部３２および誤り訂正復号化部２７ａに通知する。
【０１０９】
このように、本実施の形態では、移動局が、基地局に対して再送要求とサブキャリア毎またはサブキャリアグループ毎の回線品質情報を通知し、基地局が、サブキャリア毎またはサブキャリアグループ毎の回線品質の変動に応じて、回線品質が劣悪であると判断したサブキャリア以外のサブキャリアに再送データを割り当てるとともに、さらに、回線品質の劣悪なサブキャリア数またはサブキャリアグループ数に応じて、再送データの拡散率を決定して送信し、移動局が、逆拡散後の再送データを復調する。すなわち、データの初送時には全サブキャリアを使用し、データの再送時には回線品質が劣悪であると判断したサブキャリア以外のサブキャリアを使用するとともに、再送データの拡散率を変更する。これにより、同一サブキャリアが、データの初送時に引き続き、データの再送時においても周波数選択性フェージングの影響を受け、回線品質の劣化状態が続くような場合であっても、伝送信号の誤り耐性を向上させることができるため、ＨＡＲＱの時間ダイバーシチ効果および十分な符号化利得を回線品質の劣化したサブキャリア以外のサブキャリアにて得ることができる。
【０１１０】
また、データの初送時とデータの再送時における同一サブキャリアの回線品質が時間的に変動している場合には、ＨＡＲＱによる時間ダイバーシチ効果が期待できるので、データ再送時においても全サブキャリアにデータを割り当てて送信する。これにより、ＨＡＲＱによる時間ダイバーシチ効果および十分な符号化利得を得ることができ、かつスループットの低下を抑制することができる。
【０１１１】
また、本実施の形態では、初送時と比べて再送時に使用するサブキャリアの数が減少した場合であっても、再送データの拡散率を変更することが可能なため、再送データに割り当てるサブキャリアの数が不足することはない。これにより、ＨＡＲＱの時間ダイバーシチ効果および十分な符号化利得を、回線品質の劣悪なサブキャリアを除いたサブキャリアにて得ることができる。
【０１１２】
なお、本実施の形態の再送制御方法では、サブキャリア毎またはサブキャリアグループ毎の回線品質の変動に応じて、再送時に回線品質が劣悪であると判断したサブキャリア以外のサブキャリアに再送データを割り当て、そして、再送データの拡散率を変更するか否かを選択することとしているが、これに限らず、たとえば、再送要求回数に応じて、回線品質が劣悪と判断されたサブキャリアの中から使用しないサブキャリアを決定し、使用しないと決定したサブキャリア以外のサブキャリアに再送データを割り当て、そして、再送データの拡散率を変更するか否かを選択することとしてもよい。
【０１１３】
実施の形態７．
つぎに、実施の形態７の再送制御方法について説明する。ここでは、前述した実施の形態１、２、３、４、５または６と異なる動作についてのみ説明する。
【０１１４】
図１７は、実施の形態７の再送制御方法を実行可能な基地局の構成を示す図である。本実施の形態では、実施の形態４の図１３の構成に加えて、さらにシンボルコピー部４１，拡散処理部４２，符号多重部４３を設ける。また、フォーマット決定部１２ｅに符号多重数選択部４６ｅを設ける。なお、先に説明した実施の形態１〜６と同様の構成については、同一の符号を付してその説明を省略する。ここでは、実施の形態４と異なる動作についてのみ説明する。
【０１１５】
フォーマット決定部１２ｅの符号多重数選択部４６ｅでは、情報データを再送すると通知された場合、再送要求情報検出部１１からの情報データを再送するか否かを示す情報、および回線品質変動測定部１３からの使用しないサブキャリアまたはサブキャリアグループ情報に基づいて、再送データの符号多重数を初送データの符号多重数から変更するか否かを決定する。そして、フォーマット決定部１２ｅに再送データの符号多重数を通知する。たとえば、初送データの符号多重数が１の場合、再送データ送信時に、回線品質情報検出部１０から通知される使用しないサブキャリア数またはサブキャリアグループ数が全サブキャリア数の半分であれば、フォーマット決定部１２ｅでは、再送データの符号多重数を２に決定する。
【０１１６】
送信情報データバッファ部１７には、誤り訂正符号化部１ａに対して出力する２値の情報データが格納されている。ここでは、再送要求情報検出部１１から情報データを再送することが通知されると、格納されている情報データを送信順序番号等に基づいて取り出す。さらに、フォーマット決定部１２ｅから出力されるフォーマット生成情報にて示される符号多重数に基づいて、取り出した情報データを分割し、その結果を再送データとして出力する。一方、情報データを再送しないこと、すなわち、受信側にて情報データが正しく受信された場合には、格納されている情報データを送信順序番号等に基づいて削除し、新たな情報データを出力する。
【０１１７】
符号多重部４３では、上記フォーマット生成情報に基づいて、拡散処理後のデータを符号多重する。具体的にいうと、上記フォーマット生成情報にて示される再送データの符号多重数が２の場合は、図１８に示すような多重数２のフレーム信号が生成され、各再送データが異なる直交符号で拡散され、符号多重される。そして、符号多重後のデータを、ＩＦＦＴ部６に通知する。なお、受信側では、拡散処理部４２で乗じられるＯＶＳＦ等の直交符号が異なれば、逆拡散処理を行うことにより符号多重後のデータを分離することができる。
【０１１８】
また、フォーマット決定部１２ｅでは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、使用しないサブキャリアまたはサブキャリアグループを除いたサブキャリアを用いたフォーマットを使用することを決定する。また、再送データの符号多重数を決定する。そして、回線品質が劣悪であると判断したサブキャリアを除いたサブキャリアのみに再送データを割り付けるためのフォーマット生成情報を、送信情報データバッファ部１７，誤り訂正符号化部１ａ，データ変調部２，フレーム生成部３，Ｓ／Ｐ変換部４，インタリーブ部５，シンボルコピー部４１，拡散処理部４２，符号多重部４３およびＩＦＦＴ部６に通知する。一方、情報データを再送しないと通知された場合、または、情報データを再送すると通知された場合であっても使用しないサブキャリアまたはサブキャリアグループが通知されていない場合には、全サブキャリアを用いたフォーマットを使用することを決定する。そして、全サブキャリアに情報データを割り付けるためのフォーマット生成情報を、送信情報データバッファ部１７，誤り訂正符号化部１ａ，データ変調部２，フレーム生成部３，Ｓ／Ｐ変換部４，インタリーブ部５，シンボルコピー部４１，拡散処理部４２，符号多重部４３およびＩＦＦＴ部６に通知する。
【０１１９】
このように、本実施の形態では、移動局が、基地局に対して再送要求とサブキャリア毎またはサブキャリアグループ毎の回線品質情報を通知し、基地局が、サブキャリア毎またはサブキャリアグループ毎の回線品質の変動に応じて、回線品質が劣悪であると判断したサブキャリア以外のサブキャリアに再送データを割り当てるとともに、さらに、回線品質の劣悪なサブキャリア数またはサブキャリアグループ数に応じて、再送データの符号多重数を決定して送信し、移動局が、逆拡散後の再送データを復調する。すなわち、データの初送時には全サブキャリアを使用し、データの再送時には回線品質の劣悪なサブキャリア以外のサブキャリアを使用するとともに、再送データの符号多重数を変更する。これにより、同一サブキャリアが、データの初送時に引き続き、データの再送時においても周波数選択性フェージングの影響を受け、回線品質の劣化状態が続くような場合であっても、伝送信号の誤り耐性を向上させることができるため、ＨＡＲＱの時間ダイバーシチ効果および十分な符号化利得を回線品質の劣化したサブキャリア以外のサブキャリアにて得ることができる。
【０１２０】
また、データの初送時とデータの再送時における同一サブキャリアの回線品質が時間的に変動している場合には、ＨＡＲＱによる時間ダイバーシチ効果が期待できるので、データ再送時においても全サブキャリアにデータを割り当てて送信する。これにより、ＨＡＲＱによる時間ダイバーシチ効果および十分な符号化利得を得ることができ、かつスループットの低下を抑制することができる。
【０１２１】
また、本実施の形態では、初送時と比べて再送時に使用するサブキャリアの数が減少した場合であっても、再送データの符号多重数を変更することが可能なため、再送データに割り当てるサブキャリアの数が不足することはない。これにより、ＨＡＲＱの時間ダイバーシチ効果および十分な符号化利得を、回線品質の劣悪なサブキャリアを除いたサブキャリアにて得ることができる。
【０１２２】
なお、本実施の形態では、サブキャリア毎またはサブキャリアグループ毎の回線品質の変動に応じて、再送時に回線品質が劣悪であると判断したサブキャリア以外のサブキャリアに再送データを割り当て、そして、再送データの符号多重数を変更するか否かを選択することとしているが、これに限らず、たとえば、再送要求回数に応じて、回線品質が劣悪と判断されたサブキャリアの中から使用しないサブキャリアを決定し、使用しないと決定したサブキャリア以外のサブキャリアに再送データを割り当て、そして、再送データの符号多重数を変更するか否かを選択することとしてもよい。
【０１２３】
実施の形態８．
つぎに、実施の形態８の再送制御方法について説明する。ここでは、前述した実施の形態１、２、３、４、５、６または７と異なる動作についてのみ説明する。
【０１２４】
図１９は、実施の形態８の再送制御方法を実行可能な基地局の構成を示す図である。本実施の形態では、実施の形態７の図１７の構成に加えて、さらに送信電力制御部４８を設ける。また、フォーマット決定部１２ｆに電力配分比決定部４７ｆを設ける。なお、先に説明した実施の形態１〜７と同様の構成については、同一の符号を付してその説明を省略する。ここでは、実施の形態７と異なる動作についてのみ説明する。
【０１２５】
フォーマット決定部１２ｆの電力配分比決定部４７ｆでは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、再送データを割り当てるサブキャリアの電力配分比を初送データの電力配分比から変更するか否かを決定する。そして、フォーマット決定部１２ｆに再送データを割り当てるサブキャリア毎の電力配分比を通知する。たとえば、図２０に示すように、初送データを割り当てる全サブキャリアの電力配分が一定の場合、フォーマット決定部１２ｆでは、再送データ送信時に、回線品質情報検出部１０から通知される使用しないサブキャリア数またはサブキャリアグループ数が全サブキャリア数の半分であれば、再送データを割り当てないサブキャリアの送信電力を一定値だけ下げて、その分の送信電力を、再送データを割り当てるサブキャリアに一律に割り当てることを決定する。
【０１２６】
送信電力制御部４８では、フォーマット決定部１２ｆから出力されるフォーマット生成情報にて示されるサブキャリア毎の電力配分比に基づいて、拡散処理部４２から出力された拡散処理後のデータに送信電力を割り当てる。そして、送信電力制御が施されたデータを、符号多重部４３に対して出力する。
【０１２７】
また、フォーマット決定部１２ｆでは、情報データを再送すると通知された場合、再送要求情報検出部１１からの情報データを再送するか否かを示す情報、および回線品質変動測定部１３からの使用しないサブキャリアまたはサブキャリアグループに関する情報に基づいて、使用しないサブキャリアまたはサブキャリアグループを除いたサブキャリアを用いたフォーマットを使用することを決定する。また、再送データを割り当てるサブキャリア毎の電力配分比を決定する。そして、回線品質が劣悪であると判断したサブキャリアを除いたサブキャリアのみに再送データを割り付けるためのフォーマット生成情報を、送信情報データバッファ部１７，誤り訂正符号化部１ａ，データ変調部２，フレーム生成部３，Ｓ／Ｐ変換部４，インタリーブ部５，シンボルコピー部４１，拡散処理部４２，送信電力制御部４８，符号多重部４３およびＩＦＦＴ部６に通知する。一方、情報データを再送しないと通知された場合、または、情報データを再送すると通知された場合であっても使用しないサブキャリアまたはサブキャリアグループが通知されていない場合には、全サブキャリアを用いたフォーマットを使用することを決定する。そして、全サブキャリアに情報データを割り付けるためのフォーマット生成情報を、送信情報データバッファ部１７，誤り訂正符号化部１ａ、データ変調部２，フレーム生成部３，Ｓ／Ｐ変換部４，インタリーブ部５，シンボルコピー部４１，拡散処理部４２，送信電力制御部４８，符号多重部４３およびＩＦＦＴ部６に通知する。
【０１２８】
このように、本実施の形態では、移動局が、基地局に対して再送要求とサブキャリア毎またはサブキャリアグループ毎の回線品質情報を通知し、基地局が、サブキャリア毎またはサブキャリアグループ毎の回線品質の変動に応じて、回線品質が劣悪であると判断したサブキャリア以外のサブキャリアに再送データを割り当てるとともに、さらに、回線品質の劣悪なサブキャリア数またはサブキャリアグループ数に応じて、再送データを割り当てるサブキャリア毎の電力配分を決定して送信し、移動局が、所定の送信電力制御が行われた再送データを復調する。すなわち、データの初送時には全サブキャリアを使用し、データの再送時には回線品質の劣悪なサブキャリア以外のサブキャリアを使用するとともに、再送データを割り当てるサブキャリア毎の電力配分を変更する。これにより、同一サブキャリアが、データの初送時に引き続き、データの再送時においても周波数選択性フェージングの影響を受け、回線品質の劣化状態が続くような場合であっても、伝送信号の誤り耐性を向上させることができるため、ＨＡＲＱの時間ダイバーシチ効果および十分な符号化利得を回線品質の劣化したサブキャリア以外のサブキャリアにて得ることができる。
【０１２９】
また、データの初送時とデータの再送時における同一サブキャリアの回線品質が時間的に変動している場合には、ＨＡＲＱによる時間ダイバーシチ効果が期待できるので、データ再送時においても全サブキャリアにデータを割り当てて送信する。これにより、ＨＡＲＱによる時間ダイバーシチ効果および十分な符号化利得を得ることができ、かつスループットの低下を抑制することができる。
【０１３０】
また、本実施の形態では、再送時に回線品質の劣悪なサブキャリア以外のサブキャリアに再送データを割り当て、再送データに割り当てるサブキャリア毎の電力配分を変更することができるため、たとえば、良好なサブキャリアに対する電力配分を増やし、劣悪なサブキャリアに対する電力配分を減らすことにより、送信電力効率を大幅に向上させることができる。すなわち、受信側における再送データの信号電力対雑音電力密度を向上させることができる。
【０１３１】
なお、本実施の形態の再送制御方法では、サブキャリア毎またはサブキャリアグループ毎の回線品質の変動に応じて、再送時に回線品質が劣悪であると判断したサブキャリア以外のサブキャリアに再送データを割り当て、そして、再送データに割り当てるサブキャリア毎の電力配分を変更するか否かを選択することとしているが、これに限らず、たとえば、再送要求回数に応じて、回線品質が劣悪と判断されたサブキャリアの中から使用しないサブキャリアを決定し、使用しないと決定したサブキャリア以外のサブキャリアに再送データを割り当て、そして、再送データに割り当てるサブキャリア毎の電力配分を変更するか否かを選択することとしてもよい。
【０１３２】
【発明の効果】
以上、説明したとおり、請求項１の発明（本発明）によれば、受信側装置が、送信側装置に対して再送要求とサブキャリア毎またはサブキャリアグループ毎の回線品質情報を通知し、送信側装置が、たとえば、サブキャリア毎またはサブキャリアグループ毎の回線品質の変動に基づいて、回線品質が劣悪であると判断したサブキャリア以外のサブキャリアに、再送データを割り当てて送信し、受信側装置が、回線品質の劣悪なサブキャリア以外のサブキャリアに割り当てられた再送データを復調する。これにより、同一サブキャリアが、データの初送時に引き続き、データの再送時においても周波数選択性フェージングの影響を受け、回線品質の劣化状態が続くような場合であっても、伝送信号の誤り耐性を向上させることができるため、ＡＲＱの時間ダイバーシチ効果を回線品質の劣悪なサブキャリア以外のサブキャリアにて得ることができる、という効果を奏する。また、データの初送時とデータの再送時における同一サブキャリアの回線品質が時間的に変動している場合には、ＡＲＱによる時間ダイバーシチ効果が期待できるので、データ再送時においても全サブキャリアにデータを割り当てて送信する。これにより、ＡＲＱによる時間ダイバーシチ効果を十分に得ることができ、かつスループットの低下を抑制することができる、という効果を奏する。
【図面の簡単な説明】
【図１】本発明にかかる再送制御方法のサブキャリアの割り当て処理の概念を示す図である。
【図２】実施の形態１の再送制御方法を実行可能な基地局の構成を示す図である。
【図３】フレーム生成部によって生成されたフレーム信号の一例を示す図である。
【図４】回線品質の劣悪なサブキャリアまたはサブキャリアグループを除いたフォーマットを示す図である。
【図５】実施の形態１の再送制御方法を実行可能な移動局の構成を示す図である。
【図６】実施の形態２の再送制御方法を実行可能な基地局の構成を示す図である。
【図７】実施の形態２の具体的な再送制御方法を示す図である。
【図８】ＨＡＲＱの基本動作原理を示す図である。
【図９】実施の形態３の再送制御方法を実行可能な基地局の構成を示す図である。
【図１０】実施の形態３の再送制御方法を実行可能な移動局の構成を示す図である。
【図１１】誤り訂正符号化部の構成を示す図である。
【図１２】誤り訂正復号化部の構成を示す図である。
【図１３】実施の形態４の再送制御方法を実行可能な基地局の構成を示す図である。
【図１４】実施の形態５の再送制御方法を実行可能な基地局の構成を示す図である。
【図１５】実施の形態６の再送制御方法を実行可能な基地局の構成を示す図である。
【図１６】実施の形態６の再送制御方法を実行可能な移動局の構成を示す図である。
【図１７】実施の形態７の再送制御方法を実行可能な基地局の構成を示す図である。
【図１８】実施の形態７のフレームフォーマットを示す図である。
【図１９】実施の形態８の再送制御方法を実行可能な基地局の構成を示す図である。
【図２０】送信電力制御の一例を示す図である。
【図２１】従来のマルチキャリア移動体通信システムの構成を示す図である。
【符号の説明】
１，１ａ　誤り訂正符号化部、２　データ変調部、３　フレーム生成部、４　Ｓ／Ｐ（Ｓｅｒｉａｌ／Ｐａｒａｌｌｅｌ）変換部、５　インタリーブ部、６　ＩＦＦＴ（Ｉｎｖｅｒｓｅ　Ｆａｓｔ　Ｆｏｕｒｉｅｒ　Ｔｒａｎｓｆｏｒｍ）部、７　ＧＩ（Ｇｕａｒｄ　Ｉｎｔｅｒｖａｌ）挿入部、８　送信ＲＦ（Ｒａｄｉｏ　Ｆｒｅｑｕｅｎｃｙ）部、９　受信ＲＦ部、１０　回線品質情報検出部、１１　再送要求情報検出部、１２，１２ａ，１２ｂ，１２ｃ，１２ｄ，１２ｅ，１２ｆ　フォーマット決定部、１３　回線品質変動測定部、１４　送信要求回数カウンタ部、１５ａ　ＨＡＲＱ方式選択部、１６ｂ　再送データ分割決定部、１７　送信情報データバッファ部、１８ｃ　適応変調方式選択部、１９　適応変調部、２０　受信ＲＦ部、２１　ＧＩ除去部、２２　ＦＦＴ（Ｆａｓｔ　Ｆｏｕｒｉｅｒ　Ｔｒａｎｓｆｏｒｍ）部、２３　デインタリーブ部、２４　Ｐ／Ｓ（Ｐａｒａｌｌｅｌ／Ｓｅｒｉａｌ）変換部、２５　フレーム分割部、２６　データ復調部、２７，２７ａ　誤り訂正復号化部、２８，２８ａ，２８ｂ　フォーマット情報検出部、２９　回線品質推定部、３０　再送要求決定部、３１　送信ＲＦ部、３２　受信情報データバッファ部、４０ｄ　拡散率選択部、４１　シンボルコピー部、４２　拡散処理部、４３　符号多重部、４４　逆拡散処理部、４５　シンボル合成部、４６ｅ　符号多重数選択部、４７ｆ　電力配分比決定部、４８　送信電力制御部。
【図１】
2004104574.tif 000003
【図２】
2004104574.tif 000004
【図３】
2004104574.tif 000005
【図４】
2004104574.tif 000006
【図５】
2004104574.tif 000007
【図６】
2004104574.tif 000008
【図７】
2004104574.tif 000009
【図８】
2004104574.tif 000010
【図９】
2004104574.tif 000011
【図１０】
2004104574.tif 000012
【図１１】
2004104574.tif 000013
【図１２】
2004104574.tif 000014
【図１３】
2004104574.tif 000015
【図１４】
2004104574.tif 000016
【図１５】
2004104574.tif 000017
【図１６】
2004104574.tif 000018
【図１７】
2004104574.tif 000019
【図１８】
2004104574.tif 000020
【図１９】
2004104574.tif 000021
【図２０】
2004104574.tif 000022
【図２１】
2004104574.tif 000023